(57)【要約】【課題】設定し易く、選択し易い操作表示部を有する洗濯機を提供すること。【解決手段】運転コース等のモードや各種機能の選択ができ、その入力情報を基に表示を行なう操作表示パネル部２５と、操作表示パネル部２５に設けられた指でのタッチ操作指示を受け付けるタッチパネル操作表示部３８と、タッチパネル操作表示部３８に設けられたタッチ操作可能な設定ボタン部７１およびコース選択ボタン部７４とを備え、タッチパネル操作表示部３８での操作設定時に、設定ボタン部７１およびコース選択ボタン部７４の中で、タッチ操作可能なボタンのみ、そのボタン名を表示すると共に、そのボタンの周囲に囲いを表示する構成とすることにより、操作をやり易くするとともに、タッチ操作可能な操作部と文字や図柄だけの表示部とを簡単に判別することができ、操作性を向上させることができる。【選択図】図３
2016198225.tif 000002
【特許請求の範囲】
【請求項１】
開口部を有する操作表示パネルと、前記操作表示パネルの裏面に前記開口部に臨ませて配設されるタッチパネル操作表示部と、を備え、前記タッチパネル操作表示部には、文字や図柄等からなる複数の表示部を表示し、前記表示部に触れることで、運転内容を設定する構成とし、前記表示部は、選択可能な表示部と選択できない表示部の表示を異ならせた洗濯機。
【請求項２】
表示部は、選択可能な表示部の周囲に囲いを表示する請求項１に記載の洗濯機。
【請求項３】
タッチパネル操作表示部は、選択可能な表示部のみ表示する請求項２に記載の洗濯機。
【請求項４】
前記タッチパネル操作表示部は、あらかじめ決められた文字や図柄等からなる表示部の表示を行なうセグメント方式の液晶パネルを備える請求項１〜３のいずれか１項に記載の洗濯機。
【請求項５】
前記タッチパネル操作表示部は、人の指が触れるときの静電容量の変化を検出する構成とした請求項１〜４のいずれか１項に記載の洗濯機。
【発明の詳細な説明】
【技術分野】
【０００１】
本発明は、洗濯機に係り、特に、洗濯機の操作表示装置に関するものである。
【背景技術】
【０００２】
従来、洗濯機は、操作表示装置部において、洗い時間、すすぎ回数、脱水時間を設定するボタン、あるいは、運転コースを設定するボタンなどの各種の操作ボタンを配置した操作部と、操作部による設定内容や運転開始からの残り時間などを表示する表示部の構成が提案されている（例えば特許文献１参照）。
【０００３】
図１６は、特許文献１に記載された従来の洗濯機の操作表示装置部の正面図を示すものであり、図１７は、同洗濯機の操作表示装置部の制御装置の要部詳細図を示す。
【０００４】
図１６、図１７において、操作表示パネル１は、上面にシート材で構成されたパネルシート２をインサート成形している。操作表示パネル１に表示部３と操作部４を設け、操作表示パネル１裏面の表示部３に対応する位置に液晶パネル５を配設し、操作部４に対応する位置に操作ボタン部６を配設している。
【０００５】
操作ボタン部６の行程ボタン６ａを操作することで液晶パネル５に表示する洗い、すすぎ、脱水、乾燥の各運転時間や設定条件等を変更することができる。操作ボタン部６のコースボタン６ｂを操作することで液晶パネル５に表示する運転コースを変更することができる。操作ボタン部６の洗濯乾燥切替ボタン６ｃを操作することで洗濯コースのみ、洗濯〜乾燥の連続コース、乾燥コースのみ、および、ミストコースの各運転コースの切替えをすることができる。
【０００６】
また、操作ボタン部６には、洗濯機本体に電源を投入する電源入ボタン６ｄ、電源を遮断する電源切ボタン６ｅ、運転を開始させるスタートボタン６ｆが配置されている。
【０００７】
操作表示パネル１の裏面には、制御装置９を配設した樹脂ケース１０を固定している。制御装置９には、操作表示パネル１の操作ボタン部６の対応する位置に設けたボタン式電気スイッチ７と、操作ボタン６が押されていることを報知するＬＥＤ素子８と、液晶パネル５とを配設している。
【０００８】
樹脂ケース１０の周囲には、ビス孔１１を設け、ビス孔１１に操作表示パネル１の裏面からビス（図示せず）で操作表示パネル１に樹脂ケース１０を固定することで操作表示装置を形成している。
【先行技術文献】
【特許文献】
【０００９】
【特許文献１】特開２００９−１８９６７８号公報
【発明の概要】
【発明が解決しようとする課題】
【００１０】
しかしながら、前記従来の構成では、操作表示パネル上に多数の操作ボタンが存在するため、使用者が運転条件を設定する際、操作ボタンが多いために操作が複雑となり、更に操作部と表示部が離れていることで設定した内容を表示部で確認しにくく、操作しにくいという課題を有していた。
【００１１】
本発明は、前記従来の課題を解決するもので、操作表示装置の操作性を向上し得る洗濯機を提供することを目的とする。
【課題を解決するための手段】
【００１２】
前記従来の課題を解決するために、本発明の洗濯機は、開口部を有する操作表示パネルと、前記操作表示パネルの裏面に前記開口部に臨ませて配設されるタッチパネル操作表示部と、を備え、前記タッチパネル操作表示部には、文字や図柄等からなる複数の表示部を表示し、前記表示部に触れることで、運転内容を設定する構成とし、前記表示部は、選択可能な表示部と選択できない表示部の表示を異ならせる構成としたものである。
【００１３】
これによって、操作可能な表示部を容易に判別することができ、直感的な操作を行うことができ、操作性を向上することができる。
【発明の効果】
【００１４】
本発明の洗濯機は、操作可能な表示部を容易に判別することができ、直感的な操作を行うことができ、操作性を向上することができる等の効果を奏する。
【図面の簡単な説明】
【００１５】
【図１】本発明の実施の形態における洗濯機の縦断面図
【図２】同洗濯機の全体斜視図
【図３】同操作表示パネル部の要部平面図
【図４】同操作表示パネル部の図３のＡ−Ａ断面図
【図５】同制御装置の要部詳細図
【図６】同液晶パネルの表示内容の一例を示す正面図
【図７】同液晶パネルの表示内容の一例を示す正面図
【図８】同液晶パネルの表示内容の一例を示す正面図
【図９】同液晶パネルの表示内容の一例を示す正面図
【図１０】同液晶パネルの表示内容の一例を示す正面図
【図１１】同液晶パネルの表示内容の一例を示す正面図
【図１２】同タッチパネル操作表示部の透明電極センサーの正面図
【図１３】同タッチパネル操作表示部の側面図
【図１４】同操作表示部のタッチパネル表示部のタッチ検知時の検知を示す図
【図１５】同操作表示部のタッチパネル表示部のタッチ検知時の検知を示す簡略図
【図１６】従来の洗濯機の操作表示装置の正面図
【図１７】同操作表示装置の制御装置の要部詳細図
【発明を実施するための形態】
【００１６】
第１の発明は、開口部を有する操作表示パネルと、前記操作表示パネルの裏面に前記開口部に臨ませて配設されるタッチパネル操作表示部と、を備え、前記タッチパネル操作表示部には、文字や図柄等からなる複数の表示部を表示し、前記表示部に触れることで、運転内容を設定する構成とし、前記表示部は、選択可能な表示部と選択できない表示部の表示を異ならせるものである。
【００１７】
これによって、操作可能な表示部を容易に判別することができ、直感的な操作を行うことができ、操作性を向上することができる。
【００１８】
第２の発明は、特に、第１の発明の表示部は、選択可能な表示部の周囲に囲いを表示する構成とすることにより、操作可能な表示部を容易に判別することができ、直感的な操作を行うことができ、操作性を向上することができる。
【００１９】
第３の発明は、特に、第２の発明のタッチパネル操作表示部は、選択可能な表示部のみ表示する構成とすることにより、  これによって、操作可能な表示部を容易に判別することができ、直感的な操作を行うことができ、操作性を向上することができる。
【００２０】
第４の発明は、特に、第１から第３の発明のタッチパネル操作表示部は、あらかじめ決められた文字や図柄等からなる表示部の表示を行なうセグメント方式の液晶パネルを備えるものである。
【００２１】
第５の発明は、特に、第１〜第４の発明のタッチパネル操作表示部は、人の指が触れるときの静電容量の変化を検出する構成としたものである。
【００２２】
以下、本発明の実施の形態について、図面を参照しながら説明する。なお、この実施の形態によって本発明が限定されるものではない。
【００２３】
（実施の形態１）
図１は、本発明の実施の形態における洗濯機の縦断面図、図２は同洗濯機の斜視図である。
【００２４】
図１および図２において、洗濯機の本体１２内には、水槽１３が揺動自在に弾性支持され、水槽１３内に有底円筒形に形成された回転ドラム１４が配設されており、回転ドラム１４は、回転軸の軸心方向を正面側から背面側に向けて下向きに傾斜させてかつ回転自在に配設されている。
【００２５】
水槽１３の正面側には、回転ドラム１４の開口端に通じる衣類出入口１５が形成されている。本体１２の前面を構成する前部枠体１６の前部に形成された上向き傾斜面には、衣類出入口１５に対応して開口部１７が設けられている。前部枠体１６には、開口部１７を開閉する扉１８を設けており、扉１８を開くことにより、衣類出入口１５を通じて回転ドラム１４内の洗濯物を出し入れすることができる。開口部１７が上向き傾斜面に設けられているため、洗濯物を出し入れする作業を、腰を屈めることなく行なうことができる。
【００２６】
回転ドラム１４の周面には、水槽１３内に通じる多数の透孔１９が形成され、回転ドラム１４は、水槽１３の背面側に取りけられたモータ２０によって正転及び逆転方向に回転駆動される。
【００２７】
水槽１３には、注水管路２１及び排水管路２２が配管接続され、注水弁２３および排水弁２４を制御することによって水槽１３内への注水および排水がなされる。
【００２８】
前部枠体１６の上方と天板２７との間には、操作表示パネル部２５が配置され、操作表示パネル部２５の左下の前部枠体１６には、洗剤投入ケース２６が前方に引き出し自在に配設されている。使用者は、運転に先立ち洗剤を洗剤投入ケース２６に入れた後、操作表示パネル部２５を操作することにより、希望する運転内容を設定、運転のスタート、一時停止を行う、あるいは、設定内容、運転の進行状態等を確認することができる。
【００２９】
扉１８を開放して開口部１７から回転ドラム１４内に洗濯物を投入する。運転を開始すると、注水弁２３が開き、洗剤投入ケース２６内に水が注水され、洗剤投入ケース２６内洗剤を流しながら、注水管路２１を介して水槽１３内に注水される。水槽１３内に所定量の注水がなされると、モータ２０により回転ドラム１４が回転駆動され、洗い行程が開始される。洗い行程の洗濯物は、回転ドラム１４の回転により、回転方向に持ち上げられ落下する撹拌動作が繰り返され、洗濯がなされる。
【００３０】
所要の洗濯時間の後、排水弁２４が開き、汚れた洗濯液は排水管路２２から排出され、回転ドラム１４を高速回転させる脱水動作により洗濯物に含まれた洗濯液を脱水する脱水行程が行われる。脱水行程の後、水槽１３内に注水管路２１から注水され、すすぎ行程が行われる。すすぎ行程においても、洗濯物には回転ドラム１４の回転により撹拌動作が繰り返される。
【００３１】
図３は、本発明の実施の形態における洗濯機の操作表示パネル部の要部平面図であり、図４は、同洗濯機の操作表示パネル部の図３におけるＡ−Ａ断面図であり、図５は、同洗濯機の制御装置の要部詳細図である。
【００３２】
図３、図４、図５において、操作表示パネル部２５は、透明ＡＢＳ樹脂からなる基部２８の表面にインサート成形されたフィルム２９（ＰＥＴフィルム）で覆われて着色、印刷が施された化粧面を成し、中央部に略矩形形状を成すパネル開口部３０が設けられる。
【００３３】
パネル開口部３０は、基部２８もフィルム２９もない領域であり、パネル開口部３０の裏面には、透明ガラス板３１が配設される。透明ガラス板３１は、全周囲に防水手段としての弾性体３２を配設して操作表示パネル部２５に取付けられている。透明ガラス板３１の裏面に、透明電極センサー３３をＯＣＡと呼ばれる透明性の極めて高い両面テープ３７により接着固定することにより、タッチパネル操作表示部３８を形成する。
【００３４】
タッチパネル操作表示部３８の裏面下側には、セグメント式の液晶パネル３４と、透明電極センサーおよび液晶パネルを制御するメイン制御基板３６等とが取付けられる。メイン制御基板３６は、下樹脂ケース４６に固定されており、メイン制御基板３６には、タッチパネル専用ＩＣ４０を実装している。タッチパネル専用ＩＣ４０は、タッチパネル操作表示部３８へ信号を入出力することにより人がタッチ操作したか否かを判定し、マイコンにより構成された制御手段３９に判定信号を伝達させる。
【００３５】
透明ガラス板３１の裏側には、液晶パネル３４やメイン制御基板３６などの電装部品があり、防水が必要となる。防水性を確保するため、略矩形形状の透明ガラス板３１の全外周部を枠形状の弾性体３２で覆い、弾性体３２を介して略矩形形状のパネル開口部３０の裏面に取り付けている。パネル開口部３０の上辺４１の内部および下辺４２の内部では、透明ガラス板３１の表面側、裏面側、端面側の３方向とも弾性体３２を介して、透明ガラス板３１が操作表示パネル部２５と上樹脂ケース３５の間に水密的に取付けられる。パネル開口部３０の左辺４３の内部および右辺４４の内部では、透明ガラス板３１の裏面側、端面側の２方向とも弾性体３２を介して、透明ガラス板３１が操作表示パネル部２５と上樹脂ケース３５の間に水密的に取付けられる。
【００３６】
操作表示パネル部２５の裏面のパネル開口部３０周縁の４隅には、ボス（図示せず）が設けられ、上樹脂ケース３５、および下樹脂ケース４６が操作表示パネル部２５にビス（図示せず）により締結されている。操作表示パネル部２５に上樹脂ケース３５および下樹脂ケース４６をビス締結した状態では、弾性体３２が上樹脂ケース３５により押し付けられて透明ガラス板３１および操作表示パネル部２５と密着するので、パネル開口部３０の防水性が確保される。よって、使用者が誤ってパネル開口部３０に水をこぼしたりした場合でも、内部に配置された液晶パネル３４やメイン制御基板３６などの電装部品に水が付着することがなく、部品の信頼性を確保し、誤動作などを防止することができる。
【００３７】
透明ガラス板３１は、弾性体３２を介してパネル開口部３０の裏面に取り付けているので、外部から加わる衝撃でガラスが破損することも防止できる。透明ガラス板３１には、例えば、使用者が何かを落とした時に衝撃荷重が加わることが想定され、また、製品の包装状態における物流の途中で、積荷状態で落下する、あるいは、転倒することが想定され
、このような場合にも同じく衝撃力が加わる。その際、透明ガラス板３１の外周に弾性体３２を配置させることで柔構造となり、外部から衝撃が加わった際の破損を防止できる。
【００３８】
操作表示パネル部２５には、タッチパネル操作表示部３８から完全に独立させて押圧操作ボタン部４８を設けており、メイン制御基板３６には、押圧操作ボタン部４８に対応する位置にタクトスイッチ４９を配設している。
【００３９】
押圧操作ボタン部４８には、洗濯機本体１２に電源を供給する電源入ボタン５２と、洗濯機本体１２の電源を遮断する電源切ボタン７３と、洗濯機の運転が開始させる運転スタートボタン７２とを設けている。
【００４０】
また、タッチパネル操作表示部３８には、タッチ操作可能なタッチボタンとして、設定ボタン部７１及びコース選択ボタン部７４を設けている。
【００４１】
図６〜図１１は、本発明の実施の形態における洗濯機の液晶パネルの表示内容の一例を示す正面図である。
【００４２】
図６〜図１１において、図６は、液晶パネルのすべての表示を点灯させた全点灯表示の内容を示すものである。
【００４３】
水位表示部７５には、「水位」表示７５ａを設け、「水位」表示７５ａの表示の全周囲を囲うように「水位」囲い表示７５ｂを設けている。図６の状態では、「水位」囲い表示７５ｂが表示されており、「水位」囲い表示７５ｂの表示状態では、水位表示部７５をタッチすることで、「水位」設定表示７５ｃを変更することができる。
【００４４】
洗い表示部７６には、「洗い」表示部７６ｂを設け、「洗い」表示７６ａの表示の全周囲を囲うように「洗い」囲い表示７６ｂを設けている。図６の状態では、「洗い」囲い表示７６ｂが表示されており、「洗い」囲い表示７６ｂの表示状態では、洗い表示部７６をタッチすることで、「洗い」設定表示７６ｃを変更することができる。
【００４５】
すすぎ表示部７７には、「すすぎ」表示７７ａを設け、「すすぎ」表示７７ａの表示の全周囲を囲うように「すすぎ」囲い表示７７ｂを設けている。図６の状態では、「すすぎ」囲い表示７７ｂが表示されており、「すすぎ」囲い表示７７ｂの表示状態では、すすぎ表示部７７をタッチすることで、「すすぎ」設定表示７７ｃを変更することができる。
【００４６】
脱水表示部７８には、「脱水」表示７８ａを設け、「脱水」表示７８ａの表示の全周囲を囲うように「脱水」囲い表示７８ｂを設けている。図６の状態では、「脱水」囲い表示７８ｂが表示されており、「脱水」囲い表示７８ｂの表示状態では、脱水表示部７８をタッチすることで、脱水設定表示７８ｃを変更することができる。
【００４７】
予約表示部７９には、「予約」表示７９ａを設け、「予約」表示７９ａの表示の全周囲を囲うように「予約」囲い表示７９ｂを設けている。図６の状態では、「予約」囲い表示７９ｂが表示されており、「予約」囲い表示７９ｂの表示状態では、予約表示部７９をタッチすることで、運転中の残り時間を表示する部分と兼ねた、「予約」設定表示７９ｃを変更することができる。
【００４８】
風呂水表示部８０には、「風呂水」表示８０ａを設け、「風呂水」表示８０ａの表示の全周囲を囲うように「風呂水」囲い表示８０ｂを設けている。図６の状態では、「風呂水」囲い表示８０ｂが表示されており、「風呂水」囲い表示８０ｂの表示状態では、風呂水表示部８０をタッチすることで、「風呂水」設定表示８０ｃを変更することができる。
【００４９】
次に、本実施の形態の洗濯機においては、運転コースは４コース備えている。本実施の形態の運転コースは、おまかせコース、毛布コース、わたし流コース、デリケートコースの４コースである。
【００５０】
おまかせコース表示部８１には、「おまかせ」表示８１ａを設け、「おまかせ」表示８１ａの上下位置には、おまかせコースが選択されていることを使用者に報知する「おまかせ」選択表示８１ｃを設けている。「おまかせ」表示８１ａと「おまかせ」選択表示８１ｃの両方の表示の全周囲を囲うように「おまかせ」囲い表示８１ｂを設けている。
【００５１】
毛布コース表示部８２には、「毛布」表示８２ａを設け、「毛布」表示８２ａの上下位置には、毛布コースが選択されていることを使用者に報知する「毛布」選択表示８２ｃを設けている。「毛布」表示８２ａと「毛布」選択表示８２ｃの両方の表示の全周囲を囲うように毛布コース囲い表示８２ｂを設けている。
【００５２】
わたし流コース表示部８３には、「わたし流」表示８３ａを設け、「わたし流」表示８３ａの上下位置には、わたし流コースが選択されていることを使用者に報知する「わたし流」選択表示８３ｃを設けている。「わたし流」表示８３ａと「わたし流」選択表示８３ｃの両方の表示の全周囲を囲うように「わたし流」囲い表示８３ｂを設けている。
【００５３】
デリケートコース表示部８４には、「デリケート」表示８４ａを設け、「デリケート」表示８４ａの上下位置には、デリケートコースが選択されていることを使用者に報知する「デリケート」選択表示８４ｃを設けている。「デリケート」表示８４ａと「デリケート」選択表示８４ｃの両方の表示の全周囲を囲うように「デリケート」囲い表示８４ｂを設けている。
【００５４】
電源投入時は初期設定として、上記４つのコースの内、おまかせコースを運転するように設定されている。
【００５５】
図７に示すように、電源投入時には、おまかせコースが選択されていることを示すために、おまかせコース表示部８１の「おまかせ」選択表示８１ｃが点灯し、その他の３つのコースの、「毛布」選択表示８２ｃ、「わたし流」選択表示８３ｃ、「デリケート」選択表示８４ｃは消灯している。この状態で、運転コース変更をしたい場合は、毛布コース表示部８２、わたし流コース表示部８３、デリケートコース表示部８４のいずれかを押すことにより、操作した表示部に選択表示が移動し、使用者にコース選択変更が設定できたことを報知する。
【００５６】
次に、洗濯機の運転動作を行うための操作方法について説明する。
【００５７】
図３に示す操作表示パネル部２５に配置した電源入ボタン５２を操作すると、洗濯機本体に電源が供給され、液晶パネル３４が点灯し、文字等が表示される。
【００５８】
図７は、電源投入状態の液晶パネル３４の表示を示している。
【００５９】
液晶パネル３４の各表示部７５〜８４は、囲い表示７５ｂ〜８４ｂを表示することにより、操作可能であることを使用者に報知している。
【００６０】
電源投入時には、おまかせコースが初期設定されているため、「おまかせ」選択表示８１ｃが点灯している。液晶パネル３４に表示されるタッチボタンは、透明電極３３、透明両面テープ３７及び透明ガラス板３１を透過して見えている。使用者は、見えている画面
上を指でタッチ操作することで画面の切替や設定内容の変更等を行なうことができる。
【００６１】
図７の電源投入時の液晶表示の画面状態において、例えば、洗い時間を初期値の１２分から変更したい場合は、洗い表示部７６の上をタッチすることで変更できる。
【００６２】
図８は、洗い表示部７６を１回タッチした状態である。洗い表示部７６を１回タッチすると、「洗い」設定表示７６ｃが「１２」分から「１３」分に変更され、運転全時間を示す７９ｃの表示も「４８」分から１分増加した「４９」分に変更され、タッチの回数分だけ、洗い時間の変更が可能となる。
【００６３】
図７に示す電源投入時の液晶表示の画面状態において、例えば、おまかせコースを毛布コースに変更したい場合には、毛布コース表示部８２の上をタッチすることによりおまかせコースから毛布コースに変更できる。
【００６４】
図９に、毛布コース表示部８２を１回タッチした状態を示す。毛布コース表示部８２を１回タッチすると、「おまかせ」選択表示８１ｃが消灯し、「毛布」選択表示８２ｃが点灯することで、運転コースがおまかせコースから毛布コースに変更されたことを報知する。さらに、「洗い」設定表示７６ｃが「１６分」に変更され、運転全時間を示す７９ｃの表示も「６４分」に変更され、「水位」設定表示７５ｃが「高水位」に変更される。
【００６５】
図７に示す電源投入時の液晶表示の画面状態において、例えば、おまかせコースをデリケートコースに変更したい場合は、デリケートコース表示部８４の上をタッチすることによりおまかせコースからデリケートコースに変更できる。
【００６６】
図１０に、デリケートコース表示８４ａを１回タッチした状態を示す。デリケートコース表示部８４を１回タッチすると、「おまかせ」選択表示８１ｃが消灯し、「デリケートコース」選択表示８４ｃが点灯することで、運転コースがおまかせコースからデリケートコースに変更になったことを報知する。さらに、洗い設定表示７６ｃが１８分に変更され、運転全時間を示す７９ｃの表示も６８分に変更され、水位設定表示７５ｃも中水位と高水位の間に変更され、すすぎ設定表示７７ｃが３回に変更される。
【００６７】
デリケートコースはデリケートな衣類を洗濯するときに使用するコースであるため、風呂水の使用を禁止しており、「風呂水」表示８０ａと「風呂水」囲い表示８０ｂの両方を消灯することで、タッチ動作できなくなったことを使用者に報知する。
【００６８】
運転の設定終了後、使用者は、操作表示パネル部２５に配設された運転スタートボタン７２を操作し、運転を開始する。なお、運転途中に運転を一時停止したい場合には、運転スタートボタン７２を操作する。一時停止した状態から運転を再開させたいときには、再度運転スタートボタン７２を操作する。
【００６９】
図１１は、洗濯運転が開始された状態の液晶表示の画面であり、一例として、おまかせコースを選択した際の洗濯運転時における液晶表示画面を示している。
【００７０】
おまかせコースによる洗濯運転が開始されると、図１１に示す如く、毛布表示部８２、わたし流表示部８３、デリケート表示部８４の表示が消灯され、おまかせ表示部８１の点灯のみが継続され、おまかせコースによる洗濯運転であることを使用者に報知する。「おまかせ」囲い表示８１ｂは消灯し、おまかせ表示部８１の操作ができないことを報知する。
【００７１】
また、洗い、すすぎ、脱水の時間やコース変更などの設定変更を禁止するために、洗い
囲い表示７６ｂ、すすぎ囲い表示７７ｂ、脱水囲い表示７８ｂ、おまかせコース囲い表示８１ｂを消灯させ、使用者にタッチ操作を受け付けないことを報知する。本実施の形態では、洗い工程中は、水位の量だけは変更可能としているため、水位表示７５ａと水位囲い表示７５ｂの両方を点灯し、使用者に水位表示部７５がタッチ操作を受け付け可能であることを報知する。
【００７２】
このように、各表示部７５〜８４において、各囲い表示７５ｂ〜８４ｂの点灯状態ではタッチ操作を受け付け、消灯状態ではタッチ操作を受け付けないようにすることで、使用者は、液晶パネル内の表示部のなかで、操作可能な表示部と操作できない表示部を容易に判別することができる。
【００７３】
操作表示パネル部２５に配設した電源切ボタン７３を操作することで、どのタイミングでも洗濯機の電源を切ることができる。
【００７４】
図１２は、本発明の実施の形態における洗濯機のタッチパネル操作表示部の透明電極センサーの正面図、図１３は、同洗濯機のタッチパネル操作表示部の側面図である。
【００７５】
図１２において、透明電極センサー３３は、ガラス基材６５上にＩＴＯと呼ばれる導電性の高い酸化インジウムスズを蒸着成膜させ、エッチング処理することで透明電極９５を形成する。
【００７６】
明電極９５の内、液晶パネルの「水位」囲い表示７５ｂの対向位置に「水位」透明電極８５、「洗い」囲い表示７６ｂの対向位置に「洗い」透明電極８６、「すすぎ」囲い表示７７ｂの対向位置に「すすぎ」透明電極８７、「脱水」囲い表示７８ｂの対向位置に「脱水」透明電極８８、「予約」囲い表示７９ｂの対向位置に「予約」透明電極８９、「風呂水」囲い表示８０ｂの対向位置に「風呂水」透明電極９０、おまかせコース囲い表示８１ｂの相対位置におまかせコース透明電極９１、「毛布」囲い表示８２ｂの対向位置に「毛布」透明電極９２、「わたし流」囲い表示８３ｂの対向位置に「わたし流」透明電極９３、「デリケート」囲い表示８４ｂの対向位置に「デリケート」透明電極９４をそれぞれ形成している。図示していないが、透明電極９５は電気的にタッチパネル専用ＩＣ４０に接続され、タッチパネル専用ＩＣ４０は制御手段３９と電気接続している。
【００７７】
図１３において、透明電極センサー３３の裏面には、一面にＩＴＯを蒸着成膜してシールド電極６９を形成している。シールド電極６９は、ＦＰＣ配線７０を介してメイン制御基板３６のＧＮＤラインと接続することにより電源ノイズ耐性が向上し、下方に配置する液晶パネル３４からのスイッチングノイズ等により、タッチパネル操作表示部３８が誤動作することを防止する。
【００７８】
透明電極センサー３３は、透明両面テープ３７により透明ガラス板３１に接着固定している。
【００７９】
静電容量の変化は、指が触る物質の誘電率によって決まり、誘電率が大きいほど静電容量の変化が大きくなり、感度を高く設定できる。なお、感度が高いとは、指で押された位置を正確に早く認識でき、例えば、水滴の付着を指が触れた状態と認識する誤検知を起こし難く、また、外部ノイズの影響による誤検知し難いことをいう。
【００８０】
例えば、ガラスの誘電率は９程度、ＡＢＳ樹脂やＰＥＴ樹脂の誘電率は３程度であり、また静電容量の変化は厚みに反比例するので、指で触る部分の材質がガラス板であれば、ＡＢＳ樹脂やＰＥＴ樹脂に比べて３倍の厚みがあっても、感度を同等にできる。
【００８１】
なお、本実施の形態では、透明電極センサーをガラス基材としたが、ＰＥＴのような樹脂シートでも同様な効果が得られることはいうまでもない。
【００８２】
また、本実施の形態では、液晶パネルの各表示部に対応する位置のみに電極を配線して表示部に対応する位置のみ検出可能な構成としたが、透明電極のＸ電極、Ｙ電極をマトリック状に配線し、ガラス基材のどの部分をタッチしても検出可能な構成としても、同等の性能が得られることはいうまでもない。
【００８３】
図１２、図１３を用いて、タッチ操作時の検知メカニズムを説明する。
【００８４】
透明電極センサー３３上に形成されている透明電極９５には、非常に小さい静電容量成分（約２〜３ＰＦ程度）が存在し、タッチパネル専用ＩＣ４０からＸ電極６６に対して常時所定の周期で電圧を繰り返して印加している。Ｙ電極６７は、Ｘ電極６６から印加され静電容量成分を通過した電圧が常時出力され、タッチパネル専用ＩＣ４０に電圧信号を返すことで、常にタッチパネル操作表示部３８に存在する静電容量成分での電圧変化をモニタリングする。
【００８５】
人が透明ガラス板３１に触れると、指から透明ガラス板３１、透明両面テープ３７、透明電極センサー３３の間で電気的に繋がり、人の持つ静電容量成分（一般的には１００〜１５０ＰＦ程度）の電気が流れ、結果的にタッチパネル専用ＩＣ４０で検出するタッチパネル操作表示部３８に存在する静電容量成分の電圧が大きく変化することで、タッチ操作したことをタッチパネル専用ＩＣ４０は確定させ、確定信号を制御手段３９に伝える。
【００８６】
図１４は、本発明の実施の形態における洗濯機の操作表示部のタッチパネル表示部のタッチ検知時の検知を示す図、図１５は、同洗濯機の操作表示部のタッチパネル表示部のタッチ検知時の検知を示す簡略図である。
【００８７】
図１４において、Ｘ軸方向は透明ガラス板３１の長辺側を示し、Ｚ軸方向は透明ガラス板３１の短辺側を示し、Ｙ軸方向はタッチ操作されたときのタッチ感度を示している。図１４においてＹ軸方向の上にいけばいくほどタッチ操作したときの感度が高いことを示している。図１４は、タッチパネル専用ＩＣ４０で検出したタッチ信号をパソコン（図示せず）上で確認するようにしたデータである。一般的にはタッチパネル専用ＩＣ４０のなかでタッチ操作を判定する閾値Ｓを設定し、タッチ信号の高さＨが閾値Ｓを越えるか否かでタッチ操作の有無を確定させる。
【００８８】
図１５において、（ａ）は、水が透明ガラス板３１に付着した際の感度高さの例を示し、（ｂ）は、液体洗剤が透明ガラス板３１に付着した際の感度高さの例を示し、（ｃ）は、指で透明ガラス板３１タッチ操作したときの感度高さの例を示している。
【００８９】
この例から、感度高さに対して導電性の低い水は、感度高さが閾値Ｓ以下であるが、導電性の高い液体洗剤は、感度高さが閾値Ｓ以上となり、誤検知により誤動作する虞が生じる。
【００９０】
この問題は、閾値Ｓを液体洗剤の感度高さ以上に設定することにより解決することが可能であるが、閾値Ｓを高く設定すると、指によるタッチ操作時の応答性が悪くなり、使い勝手が悪くなる可能性がある。図１５中の（ｃ）には、指によるタッチ操作によるタッチ感度の高さの一例を示したが、指が透明ガラス板３１に接する面積が直接、静電容量に影響を与えるため、操作する人の指の大きさやタッチしたときの瞬間的なタッチ面積によりタッチ感度の高さが変化することも応答性を落とす要因につながる。
【００９１】
以上のように、本実施の形態においては、運転コース等のモードや各種機能の選択ができ、その入力情報を基に表示を行なう操作表示パネル部２５と、操作表示パネル部２５に設けられた指でのタッチ操作指示を受け付けるタッチパネル操作表示部３８と、タッチパネル操作表示部３８に設けられたタッチ操作可能な設定ボタン部７１およびコース選択ボタン部７４とを備え、タッチパネル操作表示部３８での操作設定時に、設定ボタン部７１およびコース選択ボタン部７４の中で、タッチ操作可能なボタンのみ、そのボタン名を表示すると共に、そのボタンの周囲に囲いを表示する構成とすることにより、操作をやり易くするとともに、タッチ操作可能な操作部と文字や図柄だけの表示部とを簡単に判別することができ、操作性を向上させることができる。
【００９２】
また、複数の選択肢があるコース選択ボタン部７４において、選択されたボタンは、略中央部に表示されたボタン名の上下に選択されたことを示す選択模様を表示すると共に、全てのコース選択ボタン部７４の周囲にタッチ操作可能なボタンであることを示す囲いを表示する構成とすることにより、複数ある選択肢のなかで、現在選択されている選択内容を使用者に確実に伝えることができ、更なる操作性を向上できる。
【００９３】
また、押圧操作ボタン部４８の運転スタートボタン７２が押された時に、設定された設定ボタン部７１および選択されたコース選択ボタン部７４の中で、タッチ操作不可のボタンは、ボタン名のみ表示して周囲の囲い表示を消し、タッチ操作可能なボタンは、ボタン名とボタン周囲の囲いを表示する構成とすることにより、運転開始した後でも、操作できるボタン、できないボタンを明確に判別することができるので、更なる操作性を向上できる。
【００９４】
本実施の形態では、運転コースの選択時に、選択された選択表示８１ｃ〜８４ｃを表示するようにしているが、選択された選択表示８１ｃ〜８４ｃを非表示にしてもよく、選択された選択表示８１ｃ〜８４ｃを点滅するようにしてもよい。液晶パネル３４として、カラー表示可能な液晶パネルを用いる場合には、選択された表示部８１〜８４の色を選択されていない表示部８１〜８４の色と異ならせてもよい。その他、選択された表示部８１〜８４の表示が選択されていない他の表示部８１〜８４と異なる表示であれば、他の表示方法を採用してもよい。
【００９５】
また、本実施の形態では、選択可能な表示部７５〜８０の囲い表示７５ｂ〜８０ｂを表示するように構成しているが、表示７５ａ〜８０ａ、または、囲い表示７５ｂ〜８０ｂを点滅するようにしてもよい。液晶パネル３４として、カラー表示可能な液晶パネルを用いる場合には、選択可能な表示部７５〜８０の色を選択できない表示部７５〜８０の色と異ならせてもよい。その他、選択可能な表示部７５〜８０の表示が選択できない表示部７５〜８０と異なる表示であれば、他の表示方法を採用してもよい。
【産業上の利用可能性】
【００９６】
以上のように、本発明にかかる洗濯機は、操作表示パネル部に指で触れることによって操作ができるタッチパネル方式にして操作をやり易くするとともに、操作表示パネル部のタッチパネル操作表示部に表示された文字や図柄を分かりやすく、かつ、選択しやすく表示することにより、操作性を向上させることが可能となるので、タッチパネル表示部を有しているその他の電化機器の用途に適用できる。
【符号の説明】
【００９７】
１２  洗濯機本体
１３  水槽
１４  回転ドラム
１６  前部枠体
２０  モータ
２３  注水弁
２５  操作表示パネル部
３８  タッチパネル操作表示部
３９  制御手段
４８  押圧操作ボタン部
７１  設定ボタン部
７２  運転スタートボタン
７４  コース選択ボタン部
【図１】
2016198225.tif 000003
【図２】
2016198225.tif 000004
【図３】
2016198225.tif 000005
【図４】
2016198225.tif 000006
【図５】
2016198225.tif 000007
【図６】
2016198225.tif 000008
【図７】
2016198225.tif 000009
【図８】
2016198225.tif 000010
【図９】
2016198225.tif 000011
【図１０】
2016198225.tif 000012
【図１１】
2016198225.tif 000013
【図１２】
2016198225.tif 000014
【図１３】
2016198225.tif 000015
【図１４】
2016198225.tif 000016
【図１５】
2016198225.tif 000017
【図１６】
2016198225.tif 000018
【図１７】
2016198225.tif 000019